(57)【特許請求の範囲】
【請求項１】
ＬＥＤ表示機が複数個並べて配置され、
各前記ＬＥＤ表示機が、単数又は複数のＬＥＤ表示パネルを含む表示パネル部と、前記表示パネル部による表示内容を制御する表示制御手段と、前記表示制御手段によって、前記表示パネル部による表示内容を、他のＬＥＤ表示機の表示パネル部による表示内容に同期して表示させる同期制御手段とを備え、
前記各ＬＥＤ表示機の同期制御手段が有線又は無線にて電気的に連係され、前記各ＬＥＤ表示機の表示制御手段による表示制御が同期する構成とされるＬＥＤ表示システムであって、
各前記ＬＥＤ表示機が、表示タイミングと共にＪＯＢ番号を含む同期信号を送信する機能を有し、
複数個の前記ＬＥＤ表示機のうち１つが親機、残りが子機とされ、
前記各子機の同期制御手段は、前記親機から送信され表示タイミングと共にＪＯＢ番号を含む同期信号を前記子機が受信すると、前記子機の表示内容が前記親機の表示内容に対し同期制御される構成としたことを特徴とするＬＥＤ表示システム。
【請求項２】
前記表示制御手段は、複数の表示内容を記憶している外部メモリと、前記複数の表示内容のいずれかに対応するＪＯＢ番号を設定するＪＯＢスイッチと、前記表示パネル部が配置される位置に対応する位置番号を設定する位置スイッチとに連係され、前記位置スイッチによる位置番号に基づき、前記ＪＯＢスイッチによるＪＯＢ番号に対応する表示内容を前記外部メモリから呼び出し、それを前記表示パネル部に表示させるものである請求項１記載のＬＥＤ表示システム。
【請求項３】
前記表示制御手段は、電源制御手段を介してソーラーパネルと二次電池とに連係されている請求項１又は２記載のＬＥＤ表示システム。
【請求項４】
前記子機は、前記同期信号を受信するまでは、それ自身が持つＪＯＢスイッチおよび位置スイッチとによって設定される表示内容の表示を維持する、請求項１〜３のいずれか１つに記載のＬＥＤ表示システム。
【請求項５】
前記複数個並べて配置されるＬＥＤ表示機は、一列に配置されている、請求項１〜４のいずれか１つに記載のＬＥＤ表示システム。
【請求項６】
前記複数個並べて配置されるＬＥＤ表示機は、それらの各表示パネル部によって大画面の表示パネル部を構成するように配置されている、請求項１〜４のいずれか１つに記載のＬＥＤ表示システム。
【請求項７】
前記ＬＥＤ表示機の表示パネル部には、複数のＬＥＤ表示パネルを有するものが含まれる、請求項６に記載のＬＥＤ表示システム。
【発明の詳細な説明】
【技術分野】
【０００１】
本発明は、ＬＥＤ表示システムに関する。
【背景技術】
【０００２】
従来より、ＬＥＤ表示パネルユニットを用いた表示システムとして、表示パネルユニットを所定の表示サイズに組み合わせて接続した表示パネルは知られている（例えば、特許文献１参照）。
【０００３】
そのようなものは、用途や設置場所などに応じた所望表示サイズの表示パネルを構築でき、表示サイズに関係なく汎用の制御プロセッサユニット（表示制御手段）で多彩な制御が可能である、とされている。
【先行技術文献】
【特許文献】
【０００４】
【特許文献１】特開平７ー１２９１０３号公報
【発明の概要】
【発明が解決しようとする課題】
【０００５】
そのような表示システムのＬＥＤ表示パネルユニットは、定位置に固定される固定設置型であるが、近年、可搬型にして、ＬＥＤ表示パネルユニットの組み合わせの多様化を図りたい要求がある。その一方、設置場所によっては、従来の中小画面よりも大画面に変更したいという要求もある。
【０００６】
そこで、前述したような表示システムのＬＥＤ表示パネルの表示制御を、集中処理から分散処理に変更することで、表示制御手段のダウンサイジングにより低コスト化が図れ、また、表示制御手段を同期させることで、従来と何ら変わりないパネル表示を実現できることに着想し、本発明をなしたものである。
【０００７】
本発明は、表示制御手段のダウンサイジングにより低コスト化を実現できるＬＥＤ表示システムを提供する。
【課題を解決するための手段】
【０００８】
請求項１の発明は、ＬＥＤ表示機が複数個並べて配置され、各前記ＬＥＤ表示機が、単数又は複数のＬＥＤ表示パネルを含む表示パネル部と、前記表示パネル部による表示内容を制御する表示制御手段と、前記表示制御手段によって、前記表示パネル部による表示内容を、他のＬＥＤ表示機の表示パネル部による表示内容に同期して表示させる同期制御手段とを備え、前記各ＬＥＤ表示機の同期制御手段が有線又は無線にて電気的に連係され、前記各ＬＥＤ表示機の表示制御手段による表示制御が同期する構成とされるＬＥＤ表示システムであって、各前記ＬＥＤ表示機が、表示タイミングと共にＪＯＢ番号を含む同期信号を送信する機能を有し、複数個の前記ＬＥＤ表示機のうち１つが親機、残りが子機とされ、前記各子機の同期制御手段は、前記親機から送信され表示タイミングと共にＪＯＢ番号を含む同期信号を前記子機が受信すると、前記子機の表示内容が前記親機の表示内容に対し同期制御される構成としたことを特徴とする。
【０００９】
このようにすれば、複数個並べて配置される各ＬＥＤ表示機の表示制御手段それぞれに、それらを同期して制御させる同期制御手段を設けているので、それらを同期制御することで、表示制御手段のダウンサイジングにより低コスト化に有利にして、従来と何ら変わりないパネル表示を実現できる。また、ＬＥＤ表示機の追加によって小規模なＬＥＤ表示システムから大規模なＬＥＤ表示システムへと透過的に規模を拡張できるというスケーラブルなパネル組み合わせ対応で、コストの最適化が図れる。
【００１０】
この場合、請求項２に記載のように、前記表示制御手段は、複数の表示内容を記憶している外部メモリと、前記複数の表示内容のいずれかに対応するＪＯＢ番号を設定するＪＯＢスイッチと、前記表示パネル部が配置される位置に対応する位置番号を設定する位置スイッチとに連係され、前記位置スイッチによる位置番号に基づき、前記ＪＯＢスイッチによるＪＯＢ番号に対応する表示内容を前記外部メモリから呼び出し、それを前記表示パネル部に表示させる構成としたり、請求項３に記載のように、前記表示制御手段は、電源制御手段を介してソーラーパネルと二次電池とに連係されている構成とすることができる。
【００１３】
請求項４に記載のように、前記子機は、前記同期信号を受信するまでは、それ自身が持つＪＯＢスイッチおよび位置スイッチとによって設定される表示内容の表示を維持する、構成とすることができる。
【００１４】
このようにすれば、同期信号を受信するまで初期設定された表示内容の表示を維持することで、無駄のないＬＥＤ表示が可能となる。
【００１５】
請求項５に記載のように、前記複数個並べて配置されるＬＥＤ表示機は、一列に配置されている、構成とすることができる。
【００１６】
このようにすれば、請求項１〜３のいずれか１つに記載のＬＥＤ表示機を用いて、各ＬＥＤ表示機のＬＥＤパネルを、常時表示したり、同期点滅させたり、同期スクロール表示させたりすることができ、表示態様の多様化が図れる。
【００１７】
請求項６に記載のように、前記複数個並べて配置されるＬＥＤ表示機は、それらの各表示パネル部によって大画面の表示パネル部を構成するように配置されている、構成とすることができる。
【００１８】
このようにすれば、請求項１〜３のいずれか１つに記載のＬＥＤ表示機を用いて、大画面のマルチディスプレイ化が図れる。
【００１９】
この場合、請求項７に記載のように、前記ＬＥＤ表示機には、複数のＬＥＤ表示パネルを有するものが含まれる、ようにすることも可能である。
【発明の効果】
【００２０】
本発明は、複数個並べて配置される各ＬＥＤ表示機の表示制御手段それぞれに、それらを同期して制御させる同期制御手段を設けているので、それらを同期制御することで、表示制御手段のダウンサイジングにより低コスト化に有利にして、従来と何ら変わりないパネル表示を実現できる。また、小規模なものからＬＥＤ表示機の追加によって大規模なものへと透過的にシステム規模を拡張でき、スケーラブルなパネル組み合わせ対応で、コストの最適化が図れる。
【図面の簡単な説明】
【００２１】
【図１】本発明に係るＬＥＤ表示機の構成を示すブロック図である。
【図２】本発明に係るＬＥＤ表示システムの一実施の形態を示す説明図である。
【図３】送信機側となるＬＥＤ表示機における処理の流れを示す流れ図である。
【図４】受信機側となるＬＥＤ表示機における処理の流れを示す流れ図である。
【図５】送信機側となるＬＥＤ表示機の無線アンテナも受信機側となるＬＥＤ表示機の無線アンテナも共に通信可能な開状態にある場合のタイムチャート図である。
【図６】送信機側となるＬＥＤ表示機の無線アンテナが、受信機側となるＬＥＤ表示機の無線アンテナよりもが先に開状態となっている場合のタイムチャート図である。
【図７】送信機側となるＬＥＤ表示機の無線アンテナが、受信機側となるＬＥＤ表示機の無線アンテナより遅れて開状態となる場合のタイムチャート図である。
【図８】本発明に係るＬＥＤ表示システムの他の実施の形態を示す説明図である。
【図９】本発明に係るＬＥＤ表示システムの別の実施の形態を示す説明図である。
【図１０】従来の大画面ＬＥＤ表示ステムの説明図である。
【発明を実施するための形態】
【００２２】
以下、本発明の実施の形態を図面に沿って説明する。
【００２３】
図１は本発明に係るＬＥＤ表示機の構成を示すブロック図、図２は本発明に係るＬＥＤ表示システムの一実施の形態を示す説明図である。
【００２４】
本発明に係るＬＥＤ表示機１は、複数個を組み合わせて表示システムとして用いることができるもので、図１に示すように、ＬＥＤ表示パネル部２に連係される表示制御部３（表示制御手段）を有し、この表示制御部３によってＬＥＤ表示パネル部２が、所定の表示内容を表示するように制御される。ＬＥＤ表示パネル部２は、１枚の単位ＬＥＤパネル２ａで構成される場合と、複数枚の単位ＬＥＤパネル２ａで構成される場合とがある。ここで、単位ＬＥＤパネル２ａとは、基準となる、一定の大きさを有する矩形状のＬＥＤパネルである。
【００２５】
表示制御部３には、ＬＥＤ表示パネル部２の表示を、他のＬＥＤ表示機１のＬＥＤ表示パネル部２の表示と一定の時間関係で同期させることができる同期制御部４が連係されている。
【００２６】
また、表示制御部３には、ＬＥＤ表示パネル部２によって表示させる複数の表示内容（例えば、表示すべき文字や文章、表示種別など）を、ＪＯＢ番号に対応させて記憶する外部メモリ５と、外部メモリ５に記憶されている複数の表示内容のうち表示しようとする表示内容に対応するＪＯＢ番号（あるいはファイル名）を設定するＪＯＢスイッチ６と、表示内容の位置つまりＬＥＤ表示パネル部２が配置される位置に対応する位置信号を設定する位置スイッチ７が連係されている。
【００２７】
外部メモリ５に記憶されている複数の表示内容には、例えば表１に示すように、それぞれに対応してＪＯＢ番号（例えばＪＯＢ１，ＪＯＢ２）が設定されている。よって、ＪＯＢ番号が設定されることで表示される表示内容が決定される。そして、前記表示内容は、位置番号によって決定される位置（例えばＪＯＢ１では位置１〜３、ＪＯＢでは位置１〜５）ごとに分割される。よって、ＪＯＢスイッチ６によって設定されるＪＯＢ番号と位置スイッチ７によって設定される位置番号との関係で、位置番号で特定されるＬＥＤ表示パネル部２に、ＪＯＢ番号によって決定される表示内容のうち位置番号によって特定されるものだけが表示される。なお、ＪＯＢスイッチ６や位置スイッチ７による設定は、ＬＥＤ表示機１の設置前でも設置後でも設定変更可能である。
【００２８】
【表１】
0006417277.tif 000002
さらに、表示制御部３には、電源として機能するソーラ−パネル８及び二次電池９が電源制御部１０を介して連係されている。
【００２９】
このように、ＬＥＤ表示パネル部２の表示を制御する制御部Ａが、表示制御部３、同期制御部４，外部メモリ５，ＪＯＢスイッチ６、位置スイッチ７、ソーラ−パネル８、二次電池９及び電源制御部１０によって構成されている。
【００３０】
続いて、複数のＬＥＤ表示パネル部２、つまり複数のＬＥＤ表示機１を用いたＬＥＤ表示システムの一実施の形態について説明する。
【００３１】
この実施の形態では、ＬＥＤ表示システム１１は、図２に示すように、所定数（この例では１６個）のＬＥＤ表示機１が一定間隔でもって直線状に列状に配置することで構成され、各ＬＥＤ表示機１の表示動作を同期制御できるようになっている。各ＬＥＤ表示パネル部２は、１枚の単位ＬＥＤパネルで構成されるか複数枚（例えば縦２枚×横２枚の４枚）で構成され、同じ大きさに形成されている。
【００３２】
各ＬＥＤ表示機１については、表示制御部３と同期制御部４とを示し、他の構成要素について図示を省略している。また、各ＬＥＤ表示機１には、左側から順に１〜１６の位置番号が付され、この位置番号によってどのＬＥＤ表示機１であるかが特定されるようになっている。
【００３３】
また、各ＬＥＤ表示機１はＪＯＢスイッチ６と位置スイッチ７とを備えるので、それらスイッチ６，７によって設定される位置番号とＪＯＢ番号とが読み込まれる。そして、それら両番号に基づいて、各ＬＥＤ表示機１のＬＥＤ表示パネル部２において表示する表示内容が外部メモリ５から読み込まれ、各ＬＥＤ表示機１ごとに独立して表示制御がされる。そして、各ＬＥＤ表示機１は、無線アンテナ１ａを備え、無線で同期信号のやりとりができるようになっている。そのため、位置番号１のＬＥＤ表示機は前記同期信号を送信する親機として機能する一方、残りの位置番号２〜１６のＬＥＤ表示機１は前記同期信号を受信する子機として機能する構成とし、前記同期信号でもって決定されるタイミングでもって、ＬＥＤ表示機１ごとにＪＯＢ番号に基づき決定される表示内容が表示制御部３による表示制御によって表示させることができる。
【００３４】
また、同期制御部４を用いて独立制御しているので、すべてのＬＥＤ表示パネル部２が常時表示する常時表示だけでなく、一定の時間間隔で表示する同期点滅表示（表１のＪＯＢ１）、一定の時間間隔でずれて表示する同期スクロール表示（表１のＪＯＢ２）などの同期信号を利用した制御が可能となる。なお、親機から送られる同期信号には、表示タイミングと共に、表示内容を特定するＪＯＢ番号が含まれる。子機は、親機からの同期信号に含まれるＪＯＢ番号の表示内容を外部メモリ５に記憶（格納）されている場合に同期制御を行うことになる。これにより、無線通信の場合に、無線通信可能範囲において同じ種類のＬＥＤ表示機が設置されていても、異なるグループとして設置されていれば、同期することが回避されることになる。このような回避処理をより確実にするために、外部メモリ５に記憶されているファイル名（同期グループ内では唯一）も同期信号に含め、ＪＯＢ番号に加えて、ファイル名も同一であれば同期するようにすることも可能である。
【００３５】
まず、送信側ＬＥＤ表示機１（位置番号１：以下、送信側ＬＥＤ表示機という）の動作の流れについて説明する。
【００３６】
図３に示すように、電源がＯＮされるとスタートし、ハードウェアが初期化され（ステップＳ１）、まず、電池残量が無いか否かが判断され（ステップＳ２）、電池残量が無い場合には、表示制御を実行することができないので、電源がＯＦＦされ、終了する一方、電池残量が有る場合には、表示制御を実行可能であるので、表示制御が開始される。
【００３７】
最初に位置スイッチ７が読み込まれる（ステップＳ３）。なお、位置スイッチ７の読み込みによって位置番号が読み込まれ、この表示機１は送信機として機能するものであるから、位置番号は１と読み込まれる。
【００３８】
続いて、ＪＯＢスイッチ６が読み込まれる（ステップＳ４）。これにより、ＪＯＢ番号が読み込まれ、ＪＯＢ番号に対応する表示内容のうち位置番号１に対応するものを外部メモリ５より読み込む（ステップＳ５）。
【００３９】
その後、無線アンテナ１ａが開状態（通信可能状態）とされ（ステップＳ６）、残りのＬＥＤ表示機１に対し、表示タイミングと共にＪＯＢ番号を含む同期信号を送信し（ステップＳ７）、その送信後、無線アンテナ１ａがＯＦＦとされ（ステップＳ８）、閉状態（通信不能状態）とされる。なお、同期信号に含まれるＪＯＢ番号を変更することで、表示内容を変更することができる。前述したように、同期信号にファイル名を含めることも可能である。
【００４０】
そして、ソーラーパネル８について電圧測定し、その電圧値に従い、ＬＥＤ表示パネル部２の明暗を設定する（ステップＳ９）。
【００４１】
ＪＯＢ番号に従い決定される表示内容のうち位置番号１に対応するものについてＬＥＤパネル表示を開始し（ステップＳ１０）、電池残量が一定以下であるか否かが判定される（ステップＳ１１）。このステップＳ１１での判定において、電池残量が一定以下であれば、電池充電が開始され（ステップＳ１２）、一定以下でなければ、続いて電池残量が一定以上であるか否かが判定される（ステップＳ１３）。そして、このステップＳ１３での判定において、電池残量が一定以上であれば、充電する必要がないので、電池充電が停止され（ステップＳ１４）、一定以上でなければ、電池残量が無しであるか否かが判定される（ステップＳ１５）。このステップＳ１５での判定で、電池残量が無しであれば、制御続行が不可能であるので、電源がＯＦＦされ、終了する一方、電池残量無しでなければ、制御続行が可能であるので、ＪＯＢ番号が変更であるか否かが判定される（ステップＳ１６）。このＪＯＢ番号の変更はＪＯＢスイッチ６によってなされる。ファイル名を含める場合にはファイル名も変更する
ステップＳ１６での判定で、変更であれば、ステップＳ６に戻り、変更でなければ、ＪＯＢ番号の変更によって決定される表示内容の表示が完了であるか否かが判定される（ステップＳ１７）。ステップＳ１７での判定で、完了であれば、次の表示内容を得るために、ステップＳ６に戻る一方、完了でなければ、表示を続行するために、ステップＳ１１に戻る。
【００４２】
次いで、受信機となるＬＥＤ表示機（位置番号２〜１６：以下受信側ＬＥＤ表示機という）の動作について説明する。
【００４３】
図４に示すように、電源がＯＮされるとスタートし、まず、ハードウェアが初期化され（ステップＳ２１）、それから、電池残量が無いか否かが判断され（ステップＳ２２）、電池残量がない場合には電源がＯＦＦされ、終了する一方、電池残量がある場合には、制御が開始される。
【００４４】
最初に位置スイッチ７が読み込まれ（ステップＳ２３）、ＪＯＢスイッチ６が読み込まれ（ステップＳ２４）、外部メモリ５より前記表示内容を読み込む（ステップＳ２５）。つまり、位置番号によって設定される位置とＪＯＢ番号によって決定される表示内容との関係から、各ＬＥＤ表示機１ごとにＬＥＤ表示パネル部２に表示する表示内容が決定される。この表示内容は、各表示機１が、同期信号の受信による変更を行う前、つまり最初に表示する内容である。
【００４５】
ステップＳ２５の後、同期信号を受信した場合には前記同期信号による受信割り込みを設定し（ステップＳ２６）、無線アンテナ１ａがＯＮされ（ステップＳ２７）、開状態（通信可能状態）とされ、同期信号に基づく表示制御が行われることになる。
【００４６】
それから、ソーラーパネル８を電圧測定し、その電圧値に従いＬＥＤ表示パネル部２の明暗を設定する（ステップＳ２８）、自身のＪＯＢスイッチ６によるＪＯＢ番号によって決定される表示内容により、ＬＥＤパネル表示を開始する（ステップＳ２９）。
【００４７】
それから、電池残量が一定以下であるか否かが判定され（ステップＳ３０）、一定以下であれば、電池充電が開始され（ステップＳ３１）、一定以下でなければ、続いて電池残量が一定以上であるか否かが判定される（ステップＳ３２）。そして、一定以上であれば、電池充電が停止され（ステップＳ３３）、一定以上でなければ、電池残量が無しであるか否かが判定され（ステップＳ３４）、電池残量が無しであれば、電源がＯＦＦされ、終了する。電池残量無しでなければ、ＪＯＢ番号の変更があるか否かが判定される（ステップＳ３６）。変更があれば、ステップＳ２７に戻り、変更がなければ、表示完了であるか否かが判定され（ステップＳ３６）、完了であれば、そのままステップＳ２７に戻る一方、完了でなければ、ステップＳ３０に戻る。
【００４８】
これらの処理とは平行に同期信号の受信割り込みをチェックする処理が行われ、受信割り込み有りの場合には、同期信号（表示タイミング）と共にＪＯＢ番号を取得し（ステップＳ４１）、ＪＯＢ番号が自身のものと同一であるか否かが判定される（ステップＳ４２）。
【００４９】
そして、同一であれば、無線アンテナ１ａをＯＦＦし（ステップＳ４３）、同期をとる必要があることから再表示するためにステップＳ２８に移行する一方、同一でなければ、無線アンテナ１ａをＯＦＦせず、同期をとる必要が無く自走するためにステップＳ３０に移行する。
【００５０】
このような表示制御が行われる際には、送信側ＬＥＤ表示機と、受信側ＬＥＤ表示機との間に、起動に時間のずれが生ずる場合が生ずるので、いずれも無線アンテナ１ａが開状態にある場合と、いずれか一方のみが先に開状態になっている場合とに分けて、表示制御が開始されるタイミングを説明する。
【００５１】
(i)送信側ＬＥＤ表示機１の無線アンテナ１ａも受信側ＬＥＤ表示機１の無線アンテナ１ａも共に送受信可能な開状態にある場合
図５に示すように、送信側ＬＥＤ表示機１から同期信号が送信されると、送信側ＬＥＤ表示機１のＬＥＤパネルが表示を開始し、その表示開始後送信側ＬＥＤ表示機１の無線アンテナ１ａが閉状態（通信不能状態）とされる。ＬＥＤパネルの表示が完了すると、送信側ＬＥＤ表示機１の無線アンテナ１ａが開状態とされ、同様な動作が繰り返される。
【００５２】
受信側ＬＥＤ表示機１が前記同期信号を受信すると、受信側ＬＥＤ表示機１のＬＥＤパネルが表示を開始し、受信側ＬＥＤ表示機１の無線アンテナ１ａが閉状態とされる。ＬＥＤパネルの表示が完了すると、受信側ＬＥＤ表示機１の無線アンテナ１ａが開状態とされ、同様な動作が繰り返される。
【００５３】
(ii)送信側ＬＥＤ表示機１の無線アンテナ１ａが、受信側ＬＥＤ表示機１の無線アンテナ１ａよりもが先に開状態となっている場合
送信側ＬＥＤ表示機１が起動されているので、通常時の場合と同様に、送信側ＬＥＤ表示機１の無線アンテナ１ａが開状態とされ、送信側ＬＥＤ表示機１から同期信号が送信されると、送信側ＬＥＤ表示機１のＬＥＤパネルが表示を開始し、送信側ＬＥＤ表示機１の無線アンテナ１ａが閉状態とされる。ＬＥＤパネルの表示が完了すると、送信側ＬＥＤ表示機１の無線アンテナ１ａが開状態とされ、同様な動作が繰り返される。
【００５４】
受信機は起動前であるので、図６に示すように，送信側ＬＥＤ表示機１の無線アンテナ１ａがＯＮとされ、送信側ＬＥＤ表示機１から同期信号が送信されても、受信側ＬＥＤ表示機１の無線アンテナ１ａは開状態ではなく、同期信号を受信しないので、受信側ＬＥＤ表示機１のＬＥＤパネルは、同期するまで自走による表示を行う。つまり、受信側ＬＥＤ表示機１のＪＯＢスイッチ６によるＪＯＢ番号によって最初に設定される表示内容が表示される。
【００５５】
受信側ＬＥＤ表示機１の無線アンテナ１ａは、同期信号を受信するまで、開状態を維持し、同期信号の受信により、受信側ＬＥＤ表示機１のＬＥＤパネルの表示を開始し、受信側ＬＥＤ表示機１の無線アンテナ１ａを閉状態とする。ＬＥＤパネルの表示が完了すると、受信側ＬＥＤ表示機１の無線アンテナ１ａが開状態とされ、通常時の場合と同様に、同様な動作が繰り返される。
【００５６】
(iii)送信側ＬＥＤ表示機の無線アンテナ１ａが、受信側ＬＥＤ表示機の無線アンテナ１ａより遅れて開状態となる場合
図７に示すように、受信側ＬＥＤ表示機１の無線アンテナ１ａは開状態を維持しており、受信側ＬＥＤ表示機１のＬＥＤパネルは、自身の位置信号とＪＯＢ信号とによって決定されるパネル表示を、自走で表示する。よってこの表示は送信側ＬＥＤ表示機１と同期していない。
【００５７】
送信側ＬＥＤ表示機１が起動し、送信側ＬＥＤ表示機１の無線アンテナ１ａが開状態とされ、ＬＥＤパネルの表示を開始すると、送信側ＬＥＤ表示機１の無線アンテナ１ａが閉状態とされる。そしてＬＥＤパネルの表示が完了すると、送信側ＬＥＤ表示機１の無線アンテナ１ａが開状態とされ、通常時と同様な動作が繰り返される。
【００５８】
送信側ＬＥＤ表示機１の起動により送信された同期信号を受信機が受信すると、受信側ＬＥＤ表示機１のＬＥＤパネルが送信機と同期した表示を開始し、受信側ＬＥＤ表示機１の無線アンテナ１ａが閉状態とされる。ＬＥＤパネルの表示が完了すると、受信側ＬＥＤ表示機１の無線アンテナ１ａが開状態とされ、通常時と同様な動作が繰り返される。
【００５９】
図２に示す形態では、各同期制御手段に無線アンテナ１ａを設け、各同期制御手段を無線で接続しているが、図８に示すように、各同期制御手段を有線３１で接続し、無線アンテナ１ａを省略することも可能である。
【００６０】
前記実施の形態では、所定数のＬＥＤ表示機が一定間隔でもって直線状に配置したシステムについて説明したが、図９に示すように、複数のＬＥＤ表示機１のＬＥＤ表示パネル部で大画面を構成する場合についても同様に適用できる。
【００６１】
例えば図９に示すように、前記大画面は、上側に配置され８枚の単位ＬＥＤパネル２ａで構成される第１のＬＥＤ表示パネル部２Ａ（縦２枚×横４枚）と、下側に配置され４枚ずつの単位ＬＥＤパネル２で構成される第２及び第３のＬＥＤ表示パネル部２Ｂ，２Ｃ（縦２枚×横２枚）とに分けられる。つまり、大画面が三つの小画面（ＬＥＤ表示パネル部２Ａ〜２Ｃ）に３分割され、各小画面は単位ＬＥＤ表示パネルを接続して形成されている。そして、各表示パネル部２Ａ〜２Ｃに対し、表示制御部３Ａ〜３Ｃ（表示制御手段）が連係され、各表示制御部３Ａ〜３Ｃに連係される各同期制御部４Ａ〜４Ｃ（同期制御手段）が互いに電気的に連係されている。表示制御部３Ａ〜３Ｃのうちの一つの表示制御部が、信号を発する送信部として機能する。
【００６２】
各表示パネル部２Ａ〜２Ｃは、それぞれ表示制御部３Ａ〜３Ｃを有するので、(i)第１〜第３のＬＥＤ表示パネル部２Ａ〜２Ｃを一括表示させる表示制御、(ii)第１〜第３のＬＥＤ表示パネル部２Ａ〜２Ｃをそれぞれ独立して表示させる３分割独立表示制御、(iii)第１〜第３のＬＥＤ表示パネル部２Ａ〜２Ｃのうち２つの組と１つの組とに分けて表示させる２分割独立表示制御を実現できる。
【００６３】
これにより、１つの表示制御部３ＣでＬＥＤ表示パネル部２Ｄ（単位ＬＥＤパネル２ａが１６枚）を一括表示制御する場合（図１０参照）に比べて、同期制御部４Ａ〜４Ｃが必要となるが、ダウンサイジングにより表示制御部３Ａ〜３Ｃについてはコストダウンが図れる。また、小さな表示画面から大きな表示画面まで、ＬＥＤ表示機の追加によって透過的に規模を拡張できるので、スケーラブルなパネル組み合わせ対応で、コストの最適化が図れる。
【符号の説明】
【００６４】
１  ＬＥＤ表示機
１ａ  無線アンテナ
２，２Ａ〜２Ｃ  ＬＥＤ表示パネル部
２ａ  単位ＬＥＤパネル
３，３Ａ〜３Ｃ  表示制御部（表示制御手段）
４，４Ａ〜４Ｃ  同期制御部（同期制御手段）
５  外部メモリ
６  ＪＯＢスイッチ
７  位置スイッチ
８  ソーラーパネル
９  二次電池
１０  電源制御部
【図１】
0006417277.tif 000003
【図２】
0006417277.tif 000004
【図３】
0006417277.tif 000005
【図４】
0006417277.tif 000006
【図５】
0006417277.tif 000007
【図６】
0006417277.tif 000008
【図７】
0006417277.tif 000009
【図８】
0006417277.tif 000010
【図９】
0006417277.tif 000011
【図１０】
0006417277.tif 000012